(57)【特許請求の範囲】
【請求項１】
演算装置と、第１の入力装置と、第２の入力装置とを備え、前記演算装置と前記第１の入力装置及び第２の入力装置との間で双方向の信号伝送がなされるコンピュータ装置において、
前記第１の入力装置に対応する双方向信号と第２の入力装置に対応する双方向信号とを、送信信号および受信信号も含めて時分割して１つの双方向信号に混合すると共に、この１つに混合された双方向信号を第１の入力装置に対応する双方向信号と第２の入力装置に対応する双方向信号とに戻す混合回路を、前記演算装置の側と前記第１及び第２の入力装置の側との双方に備え、前記演算装置と前記第１及び第２の入力装置との間で、前記混合回路により混合した信号の伝送がなされることを特徴とするコンピュータ装置。
【請求項２】
１つに混合された伝送路中の双方向信号を単独の伝送路上の送信信号と受信信号とに分離すると共に、前記両単方向信号を前記双方向信号に戻す信号分離回路と、
前記単方向信号を平衡信号に変換すると共に、前記平衡信号を前記単方向信号に戻す平衡信号変換回路と、
を前記演算装置と前記入力装置との双方に備え、
前記演算装置側の平衡信号変換回路と前記入力装置側の平衡信号変換回路との間を平衡信号伝送路で接続したことを特徴とする請求項１に記載のコンピュータ装置。
【請求項３】
平衡信号変換回路にＲＳ４２２信号変換回路を用いたことを特徴とする請求項２記載のコンピュータ装置。
【請求項４】
１つに混合された伝送路中の双方向信号を単独の伝送路上の送信信号と受信信号とに分離すると共に、前記両単方向信号を前記双方向信号に戻す信号分離回路と、
前記単方向信号を光信号に変換すると共に、前記光信号を前記単方向信号に戻す光信号変換回路と、
を前記演算装置と前記入力装置との双方に備え、
前記演算装置側の光信号変換回路と前記入力装置側の光信号変換回路との間を光ケーブルで接続したことを特徴とする請求項１に記載のコンピュータ装置。
【発明の詳細な説明】
【０００１】
【発明の属する技術分野】
本発明は、演算装置、入力装置、表示装置とを備えたコンピュータ装置に関し、特に、入力装置がフルキーボードとポインティングデバイスとの２つの入力装置であり、この２つの入力装置を演算装置から離れた場所に配置することができるコンピュータ装置に関するものである。
【０００２】
【従来の技術】
パーソナルコンピュータでは、入力装置としてフルキーボードとマウスまたはトラックボールとを備えたものが一般的な構成となっている。このようなコンピュータ装置の構成を図１１、図１２に示す。
【０００３】
図１１は、従来技術に係るコンピュータ装置３０の構成を示すブロック図で、演算装置Ａと、フルキーボードによる第１の入力装置Ｂ１と、マウスまたはトラックボールによる第２の入力装置Ｂ２と、表示装置Ｃとを備えて構成されている。前記演算装置Ａと第１の入力装置Ｂ１及び第２の入力装置Ｂ２との間は、それぞれ双方向のＴＴＬレベル信号の双方向信号伝送路２７、２８で接続され、この間はシリアル信号伝送がなされる。
【０００４】
図１２は、前記コンピュータ装置３０の演算装置Ａと第１の入力装置Ｂ１、演算装置Ａと第２の入力装置Ｂ２との間の信号伝送の構成を示す回路図である。演算装置Ａには第１の入力装置Ｂ１との間で双方向の信号伝送するための通信制御回路２５ａ、第２の入力装置Ｂ２との間で双方向の信号伝送するための通信制御回路２６ａが設けられ、第１の入力装置Ｂ１に演算装置Ａと双方向の信号伝送するための通信制御回路２５ｂ、第２の入力装置Ｂ２に演算装置Ａと双方向の信号伝送するための通信制御回路２６ｂが設けられている。演算装置Ａから第１の入力装置Ｂ１に制御コマンドを出力するときには、前記通信制御回路２５ａからデータ信号とクロック信号とが出力され、双方向伝送路２７を通じて第１の入力装置Ｂ１の通信制御回路２５ｂに入力される。逆に、第１の入力装置Ｂ１から演算装置Ａにデータを出力するときには、第１の入力装置Ｂ１の通信制御回路２５ｂからデータ信号とクロック信号とが出力され、演算装置Ａの通信制御回路２５ａに入力される。第２の入力装置Ｂ２についても同様の信号伝送がなされる。
【０００５】
【発明が解決しようとする課題】
上記のように構成されるコンピュータ装置を生産設備等の制御装置として利用するとき、演算装置の設置場所と、第１及び第２の入力装置、表示装置の設置場所とを数メートル以上離して設置しなければならない場合がある。このように演算装置と入力装置とを離して設置する場合には、これらの間の制御信号に周辺機器からのノイズが混入することによる誤動作が発生したり、逆に制御信号が周辺機器に対して電磁障害を与える恐れがある。
【０００６】
本発明は、演算装置と入力装置とを離隔地点に設置した場合にも上記のごとき障害を発生させない信号伝送方法を採用したコンピュータ装置を提供することを目的とするものである。
【０００７】
【課題を解決するための手段】
本願の第１発明は、演算装置と、第１の入力装置と、第２の入力装置とを備え、前記演算装置と前記第１の入力装置及び第２の入力装置との間で双方向の信号伝送がなされるコンピュータ装置において、前記第１の入力装置に対応する双方向信号と第２の入力装置に対応する双方向信号とを、送信信号および受信信号も含めて時分割して１つの双方向信号に混合すると共に、この１つに混合された双方向信号を第１の入力装置に対応する双方向信号と第２の入力装置に対応する双方向信号とに戻す混合回路を、前記演算装置の側と前記第１及び第２の入力装置の側との双方に備え、前記演算装置と前記第１及び第２の入力装置との間で、前記混合回路により混合した信号の伝送がなされることを特徴とする。
【０００８】
上記構成によれば、演算装置と第１及び第２の入力装置との間のそれらに対応する２つの双方向信号は、送信側においては、混合回路により送信信号および受信信号も含めて時分割して１つの双方向信号に混合されて伝送路で伝送され、受信側においては、送信信号および受信信号も含めて時分割して混合されている１つの双方向信号が第１及び第２の入力装置に対応する２つの双方向信号に戻され、演算装置と第１及び第２の入力装置との間で互いの信号が入出力される。
【０００９】
上記コンピュータ装置は、平衡信号変換回路にＲＳ４２２信号変換回路を用いて構成することができ、ＲＳ４２２は平衡型デジタル電圧インタフェースとして、平衡信号伝送の電気的特性が定められており、ノイズの影響を受け難い平衡信号伝送として採用することができる。
【００１０】
また、本願のコンピュータ装置は、１つに混合された伝送路中の双方向信号を単独の伝送路上の送信信号と受信信号とに分離すると共に、前記両単方向信号を前記双方向信号に戻す信号分離回路と、前記単方向信号を光信号に変換すると共に、前記光信号を前記単方向信号に戻す光信号変換回路と、を前記演算装置と前記入力装置との双方に備え、前記演算装置側の光信号変換回路と前記入力装置側の光信号変換回路との間を光ケーブルで接続したことを特徴とする。
【００１６】
【発明の実施の形態】
以下、添付図面を参照して本発明の一実施形態について説明し、本発明の理解に供する。尚、以下に示す実施形態は本発明を具体化した一例であって、本発明の技術的範囲を限定するものではない。
【００１７】
図１は、本発明の第１の実施形態に係るコンピュータ装置の構成を示すブロック図である。尚、従来構成と共通する要素には同一の符号を付している。
【００１８】
図１において、第１の実施形態に係るコンピュータ装置１は、生産設備の制御装置として構成されており、演算装置Ａと、第１の入力装置Ｂ１と、第２の入力装置Ｂ２と、表示装置Ｃと、演算装置Ａと第１の入力装置Ｂ１及び第２の入力装置Ｂ２との間の信号伝送を制御する混合回路４ａ、４ｂ、信号分離回路５ａ、５ｂ、平衡信号変換回路６ａ、６ｂと、平衡信号伝送路７とを備えて構成されている。
【００１９】
前記第１の入力装置Ｂ１はフルキーボードによるデータ入力手段、第２の入力装置Ｂ２はマウスあるいはトラックボールによるデータ入力手段である。本構成に係るコンピュータ装置１では、制御の都合上から前記演算装置Ａと、第１及び第２の入力装置Ｂ１、Ｂ２、表示装置Ｃとの間が数メートル以上に離れた離隔地点にそれぞれを設置するため、その間の信号伝送に対して周辺機器からのノイズの影響を受けないこと、逆に周辺機器に対して不要輻射による影響を与えないようにするため、信号伝送経路に前記混合回路４ａ、４ｂ、信号分離回路５ａ、５ｂ、平衡信号変換回路６ａ、６ｂ、平衡信号伝送路７を設けて、信号伝送を平衡信号により行う。
【００２０】
以下に、コンピュータ装置１の特徴である信号伝送のための各構成要素について順を追って説明する。まず、混合回路４ａ、４ｂについて説明する。図２は混合回路の構成を示す回路図、図３は時分割信号転送のタイミング図である。
【００２１】
図２において、演算装置Ａ側の混合回路４ａは、演算装置Ａと第１の入力装置Ｂ１との間で相互に入出力するための双方向信号ａ1 と、演算装置Ａと第２の入力装置Ｂ２との間で相互に入出力するための双方向信号ａ2 との２つの双方向信号を混合して、１つの双方向信号ａ3 に変換する。
【００２２】
演算装置Ａには、先に従来構成において示したように、第１の入力装置Ｂ１との信号伝送のための通信制御回路（ＬＳＩ）２５ａと、第２の入力装置Ｂ２との信号伝送のための通信制御回路（ＬＳＩ）２６ａとが設けられており、それぞれデータ信号とクロック信号とからなる２つの双方向信号ａ1 、ａ2 の入出力制御を行っている。この２つの双方向信号ａ1 、ａ2 は、前記混合回路４ａに設けられた混合制御回路１４ａによって１つの双方向信号ａ3 に変換される。
【００２３】
同様に、第１及び第２の入力装置Ｂ１、Ｂ２の側にも、それぞれ通信制御回路２５ｂ、２６ｂが設けられており、第１の入力装置Ｂ１の通信制御回路２５ｂの双方向信号ｂ1 と、第２の入力装置Ｂ２の通信制御回路２６ｂの双方向信号ｂ2 とは、第１及び第２の入力装置Ｂ１、Ｂ２側の混合回路４ｂに設けられた混合制御回路１４ｂによって混合され、１つの双方向信号ｂ3 に変換される。
【００２４】
演算装置Ａから第１の入力装置Ｂ１または第２の入力装置Ｂ２に制御コマンドを出力するときは、演算装置Ａ内の通信制御回路２５ａまたは２６ｂから出力された２つの非同期の送信信号ａ1 （Ｔ）、ａ2 （Ｔ）は、混合回路４ａ内の入力ポートＰ１、Ｐ２、Ｐ３、Ｐ４から混合制御回路１４ａに入力される。この混合制御回路１４ａは予め設定された変換手順により、送信信号ａ1 （Ｔ）と送信信号ａ2 （Ｔ）とが１つの送信信号ａ3 （Ｔ）に変換され、バッファ３５、３６を通じて出力される。尚、前記ａ1 （Ｔ）、ａ2 （Ｔ）等の記載は、双方向信号であるａ1 、ａ2 等の送信（Transmission）と受信（Recept）とを区別するもので、双方向信号の中の送信信号に（Ｔ）、受信信号に（Ｒ）を付している。以下の記載においても同様である。
【００２５】
第１の入力装置Ｂ１または第２の入力装置Ｂ２からのデータ入力は、演算装置Ａ側の混合回路４ａ内の入力ポートＰ５、Ｐ６から混合制御回路１４ａに入力される。混合制御回路１４ａは予め設定された変換手順により、１つの受信信号ａ3 （Ｒ）をデータ信号とクロック信号とで構成された２つの受信信号ａ1 （Ｒ）とａ2 （Ｒ）とに変換し、出力バッファ３１、３２、３３、３４を通じて演算装置Ａ内の通信制御回路２５ａまたは２６ａに出力する。
【００２６】
上記演算装置Ａ側の混合回路４ａにおける動作と同様の動作が、第１及び第２の入力装置Ｂ１、Ｂ２側の混合回路４ｂにおいてもなされ、第１の入力装置Ｂ１の送信信号ｂ1 （Ｔ）と第２の入力装置Ｂ２の送信信号ｂ2 （Ｔ）とが混合されて送信信号ｂ3 （Ｔ）として出力され、演算装置Ａからの受信信号ｂ3 （Ｒ）は受信信号ｂ1 （Ｒ）と受信信号ｂ2 （Ｒ）とに振り分けられて第１及び第２の入力装置Ｂ１、Ｂ２にそれぞれ入力される。
【００２７】
上記混合回路４ａ、４ｂによる信号の混合動作は、図３に示すように、時分割で転送することによって行われる。
【００２８】
図３は、時分割のタイミング図で、演算装置Ａと第１及び第２の入力装置Ｂ１、Ｂ２との間における信号伝送の時分割内容を示している。同図において、同期（１）は演算装置Ａから第１の入力装置Ｂ１へ向けての送信信号ａ1 （Ｔ）を送信信号ａ3 （Ｔ）として出力するタイミングであり、第１の入力装置Ｂ１は受信信号ｂ1 （Ｒ）として受信する。また、同期（２）は第１の入力装置Ｂ１から演算装置Ａへ向けての送信信号ｂ1 （Ｔ）を送信信号ｂ3 （Ｔ）として出力するタイミングであり、演算装置Ａは受信信号ａ1 （Ｒ）として受信する。更に、同期（３）は演算装置Ａから第２の入力装置Ｂ２へ向けての送信信号ａ2 （Ｔ）を送信信号ａ3 （Ｔ）として出力するタイミングであり、第２の入力装置Ｂ２は受信信号ｂ2 （Ｒ）として受信する。更に、同期（４）は第２の入力装置Ｂ２から演算装置Ａへ向けての送信信号ｂ2 （Ｔ）を送信信号ｂ3 （Ｔ）として出力するタイミングであり、演算装置Ａは受信信号ａ2 （Ｒ）として受信する。以降は同期（１）から（４）までを繰り返す。
【００２９】
次に、信号分離回路５ａ、５ｂについて説明する。図４は信号分離回路の構成を示す回路図である。
【００３０】
図４において、信号分離回路５ａは、双方向信号と単方向信号とのいずれか一方を他方に変換する変換制御回路１５ａを備えて構成されている。演算装置Ａから第１の入力装置Ｂ１または第２の入力装置Ｂ２への信号伝送するときは、先に説明した混合回路４ａにより１つに混合された双方向信号ａ3 として出力されたデータ信号とクロック信号とが、この信号分離回路５ａの入力バッファ３７、３８を通じて前記変換制御回路１５ａに入力される。変換制御回路１５ａは予め設定された通信手順と通信速度に準じて入力されたデータ信号に通信制御用のコマンドを付加して送信信号とし、送信信号出力バッファ３９を通じて送信信号ａ4 を出力する。
【００３１】
第１の入力装置Ｂ１または第２の入力装置Ｂ２からの入力信号は、受信信号ａ5 として入力バッファ４０を通じて変換制御回路１５ａに入力される。前記変換制御回路１５ａは予め設定された通信手順と通信速度に準じて受信信号ａ5 から通信制御用コマンドを削除して演算装置Ａへの入力データとし、出力バッファ４１、４２を通じてデータ信号とクロック信号とを混合回路４ａに出力する。
【００３２】
第１及び第２の入力装置Ｂ１、Ｂ２側の信号分離回路５ｂも同様に変換制御回路１５ｂを備えて構成されており、前記演算装置Ａ側の信号分離回路５ａと、第１及び第２の入力装置Ｂ１、Ｂ２側の信号分離回路５ｂとは、予め設定された通信手順と通信速度とに従って動作する。
【００３３】
次いで、平衡信号変換回路６ａ、６ｂ及び伝送路７について、平衡信号回路の好ましい実施態様として、ＲＳ４２２規格になるＲＳ４２２回路を採用した構成を図５を参照して説明する。
【００３４】
図５において、演算装置Ａ側の平衡信号変換回路６ａ及び第１及び第２の入力装置Ｂ１、Ｂ２側の平衡信号変換回路６ｂは、それぞれＲＳ４２２信号変換回路として構成され、この間の平衡信号伝送路７はＲＳ４２２信号伝送路として構成されている。演算装置Ａ側の平衡信号変換回路６ａは、ラインドライバ１７ａとラインレシーバ１８ａとを備えて構成され、演算装置Ａ側の信号分離回路５ａによって単方向信号に分離された送信信号ａ4 は、ラインドライバ１７ａによりＲＳ４２２信号（平衡信号）に変換され、平衡信号伝送路７により伝送されて第１及び第２の入力装置Ｂ１、Ｂ２側の平衡信号変換回路６ｂが備えたラインレシーバ１８ｂに入力される。このラインレシーバ１８ｂにより単方向信号ｂ4 に変換された受信信号は、第１及び第２の入力装置Ｂ１、Ｂ２側の信号分離回路５ｂに入力される。
【００３５】
第１及び第２の入力装置Ｂ１、Ｂ２側の信号分離回路５ｂからの送信信号ｂ5 は、平衡信号変換回路６ｂのラインドライバ１７ｂでＲＳ４２２信号に変換され、平衡信号伝送路７により伝送されて演算装置Ａ側の平衡信号変換回路６ａのラインレシーバ１８ａに入力される。このラインレシーバ１８ａにより単方向信号ａ5 に変換された受信信号は、演算装置Ａ側の信号分離回路５ｂに入力される。
【００３６】
この平衡信号伝送における前記ラインレシーバ１８ａ、１８ｂは、差動アンプとして構成されているのでコモンモードノイズは除去され、前記平衡信号伝送路７は、図示するように、より平衡度の高い２対のツイストペア線が用いられているのでノーマルモードノイズが乗りにくく、耐ノイズ性に優れた信号伝送を行うことができ、信号伝送の距離が長くなった場合にも外来ノイズによる誤動作や不要輻射による周辺機器への影響を排除することができる。
【００３７】
従って、上記第１の実施形態による構成により、演算装置Ａと第１及び第２の入力装置Ｂ１、Ｂ２とは、それぞれ混合回路４ａ、４ｂと、信号分離回路５ａ、５ｂと、平衡信号変換回路６ａ、６ｂとにより、平衡信号伝送路７で接続できるので、周辺機器からのノイズによる影響を受け難く、また、逆に周辺機器に電磁障害を与えないので、生産設備内で演算装置Ａと第１及び第２の入力装置Ｂ１、Ｂ２とを離隔地点に設置したような場合でも正常な動作を確保できる。
【００３８】
次に、本発明の第２の実施形態に係るコンピュータ装置について説明する。図６は第２の実施形態に係るコンピュータ装置の構成を示すブロック図、図７は光信号変換回路の構成を示すブロック図である。尚、先の構成と共通する要素には同一の符号を付し、その説明は省略する。
【００３９】
図６において、第２の実施形態に係るコンピュータ装置２は、演算装置Ａと第１及び第２の入力装置Ｂ１、Ｂ２とにそれぞれ設けられた信号分離回路５ａと信号分離回路５ｂとの間の単方向信号ａ4 、ａ5 、ｂ4 、ｂ5 を、それぞれ光信号変換回路１０ａ、１０ｂによって光信号に変換し、光ケーブル１１により相互に伝送できるように構成されている。
【００４０】
前記光信号変換回路１０ａ、１０ｂは、図７に示すように構成されている。光信号変換回路１０ａ、１０ｂにはそれぞれ電気−光変換回路１９ａ、１９ｂと、光−電気変換回路２０ａ、２０ｂとが設けられており、ＴＴＬレベル信号の送信信号ａ4 、ｂ5 は、それぞれ電気−光変換回路１９ａ、１９ｂにより光信号に変換されて光ケーブル１１で伝送される。光ケーブル１１で伝送されてきた光信号は、光−電気変換回路２０ａ、２０ｂでそれぞれＴＴＬレベル信号の受信信号ａ5 、ｂ4 に変換される。
【００４１】
光信号による信号伝送は、信号伝送路を電気的に絶縁することになるので、原理的にコモンモードノイズを除去することができ、第１の実施形態において説明した平衡信号伝送において除去できないような大きなコモンモードノイズに対しても有効に作用する。従って、本構成になるコンピュータ装置２は、ノイズ発生源の多い生産設備等に演算装置Ａと入力装置Ｂとを離隔地点に設置したような状態でも、周辺機器からのノイズの影響を受け難く、特に大きな誘導ノイズの発生源があるような環境では有効である。また、光信号伝送は原理的にも電磁輻射を発生させないので、周辺機器に電磁障害を与えることがない。
【００４２】
上記したごとく、周辺ノイズの影響を受け難い光信号変換による信号伝送路の絶縁の構成は、図８に示すように、フォトカプラを用いて構成することもできる。
【００４３】
図８は、演算装置Ａ側に設けられた信号分離回路５ａと、第１及び第２の入力装置Ｂ１、Ｂ２側に設けられた信号分離回路５ｂとの間に、それぞれフォトカプラ絶縁回路１２ａ、１２ｂを設け、その間を２対のツイストペア線による絶縁信号ケーブル１３で接続したものである。この構成での信号伝送はカレントループ伝送となるため、線路抵抗やノイズの影響を受け難く、また信号伝送路は絶縁されるので、伝送経路上に混入したノイズが遮断され、よりノイズに強い信号伝送を実現することができる。
【００４４】
次いで、第１及び第２の実施形態において説明した混合回路４ａ、４ｂの時分割転送方式のより好ましい態様を本発明の第３の実施形態として説明する。図９は第３の実施形態に係る混合回路の構成を示すブロック図、図１０は信号伝送の状態を説明する模式図である。
【００４５】
本実施形態では、演算装置Ａ側の混合回路２１ａをマスターとし、第１及び第２の入力装置Ｂ１、Ｂ２側の混合回路２１ｂをスレーブとして、マスターである混合回路２１ａの同期タイミングに従って、スレーブである混合回路２１ｂが動作するように構成されている。更に、図１０に示すように、混合回路２１ａ（または混合回路２１ｂ）から出力される双方向信号ａ3 （ｂ3 ）は、バケット１とバケット２とにより構成され、前記バケット１には第１の入力装置Ｂ１と第２の入力装置Ｂ２との区分、前記バケット２には転送するコマンドデータやステータス情報が載せられ、バケット２に転送するコマンドデータやステータス情報がない場合には、マスターとスレーブとの間で予め設定されたダミーデータを転送する時分割転送方式として構成されている。この構成により、２つの非同期の双方向信号ａ1 、ａ2 （ｂ1 、ｂ2 ）を同期化して時分割に転送し、１つの双方向信号ａ3 （ｂ3 ）とする。
【００４６】
図９において、演算装置Ａ側の混合回路２１ａがマスターとして、第１及び第２の入力装置Ｂ１、Ｂ２側の混合回路２１ｂがスレーブとして動作する。まず、混合回路２１ａが混合回路２１ｂに向けて混合信号ａ3 （Ｔ）を出力する場合と、混合回路２１ｂから混合回路２１ａに混合信号ａ3 （Ｒ）を入力する場合との混合回路２１ａの動作について説明する。
【００４７】
演算装置Ａから第１の入力装置Ｂ１への送信信号ａ1 （Ｔ）、演算装置Ａから第２の入力装置Ｂ２への送信信号ａ2 （Ｔ）がそれぞれ送信信号入力部４３、４４に入力されると、送信信号ａ1 （Ｔ）、ａ2 （Ｔ）は同期タイミングで出力するまで待機のため、それぞれ出力データ記憶部４５、４６に記憶される。この出力データ記憶部４５、４６には、前記送信信号入力部４３、４４に信号入力がないときに出力する予め設定されたダミーデータも記憶されている。前記出力データ記憶部４５、４６に一時記憶された出力データは、転送部４７により同期タイミング発生部２２からの同期タイミングに従ってバケット１に第１の入力装置Ｂ１、第２の入力装置Ｂ２の区別、バケット２に出力データ記憶部４５と出力データ記憶部４６とから該当する出力データが転送され、この出力データは出力部４８により同期タイミング発生部２２からの同期タイミングに従ってスレーブである第１及び第２の入力装置Ｂ１、Ｂ２に向けて混合信号ａ3 （Ｔ）として出力される。
【００４８】
混合回路２１ｂからの混合信号ａ3 （Ｒ）を入力するときには、混合信号ａ3 （Ｒ）が入力部４９に入力されると、入力装置検出部５０において入力データのバケット１から第１の入力装置Ｂ１、第２の入力装置Ｂ２の区別が検出され、検出された入力装置の区分に該当するバケット２のデータはそれぞれ入力データ記憶部５１、５２に配分されて演算装置Ａに出力するまで記憶され、この入力データ記憶部５１、５２に記憶された内容が予め設定されたダミーデータでないとき受信信号出力部５３、５４からそれぞれ受信信号ａ1 （Ｒ）、ａ2 （Ｒ）として演算装置Ａに出力される。
【００４９】
次に、スレーブ側の混合回路２１ｂに混合回路２１ａからの混合信号ｂ3 （Ｒ）を入力する場合と、混合回路２１ｂが混合回路２１ａに向けて混合信号ｂ3 （Ｔ）を出力する場合との混合回路２１ｂの動作について説明する。
【００５０】
混合回路２１ａからの混合信号ｂ3 （Ｒ）を入力するときには、混合信号ｂ3 （Ｒ）が入力部５５に入力されると、同期タイミング検出部２３により混合信号ｂ3 （Ｒ）のデータから同期タイミングが検出され、出力データ転送部５６は混合信号ｂ3 （Ｒ）のバケット１から入力装置Ｂ１、Ｂ２の区別を判別し、該当するデータはそれぞれ出力データ記憶部５７、５８に第１の入力装置及び第２の入力装置Ｂ２に出力するまで記憶され、この出力データ記憶部５７、５８に記憶された内容が予め設定されたダミーデータでないとき受信信号出力部５９、６０からそれぞれ第１の入力装置Ｂ１または第２の入力装置Ｂ２にそれぞれ受信号ｂ1 （Ｒ）、ｂ2 （Ｒ）として出力される。
【００５１】
第１及び第２の入力装置Ｂ１、Ｂ２からの送信信号ｂ1 （Ｔ）、ｂ2 （Ｔ）を出力するときには、送信信号ｂ1 （Ｔ）、ｂ2 （Ｔ）がそれぞれ送信信号入力部６１、６２に入力されると、送信信号ｂ1 （Ｔ）、ｂ2 （Ｔ）の内容を混合信号ｂ3 として出力するまで待機のため、それぞれ入力データ記憶部６３、６４に記憶される。この入力データ記憶部６３、６４には、前記送信信号入力部６１、６２に信号入力がないときに出力する予め設定されたダミーデータも記憶されている。前記入力データ記憶部６３、６４に一時記憶された入力データは、入力データ転送部６５により同期タイミング検出部２３からの同期タイミングに従ってバケット１に第１の入力装置Ｂ１、第２の入力装置Ｂ２の区別、バケット２に入力データ記憶部６３と入力データ記憶部６４とから該当する入力データが転送され、この入力データは出力部６６により同期タイミング検出部２３からの同期タイミングに従ってマスターである演算装置Ａに向けて混合信号ｂ3 （Ｔ）として出力される。
【００５２】
上記動作により、演算部Ａから第１の入力装置Ｂ１または第２の入力装置Ｂ２への２つの送信信号ａ1 （Ｔ）、ａ2 （Ｔ）は、１つの混合信号ａ3 （Ｔ）として混合回路２１ａから出力され、信号分離回路５ａ、平衡信号変換回路６ａ、平衡信号伝送路７、平衡信号変換回路６ｂ、信号分離回路５ｂを通じて混合信号ｂ3 （Ｒ）として第１及び第２の入力装置Ｂ１、Ｂ２側の混合回路２１ｂに伝送され、受信信号ｂ1 （Ｒ）は第１の入力装置Ｂ１に、受信信号ｂ2 （Ｒ）は第２の入力装置Ｂ２に入力される。また、第１の入力装置Ｂ１からの送信信号ｂ1 （Ｔ）及び第２の入力装置Ｂ２からの送信信号ｂ2 （Ｔ）は混合回路２１ｂにより混合され混合信号ｂ3 （Ｔ）として出力され、信号分離回路５ｂ、平衡信号変換回路６ｂ、平衡信号伝送路７、平衡信号変換回路６ａ、信号分離回路５ａを通じて混合信号ａ3 （Ｒ）として演算装置Ａ側の混合回路２１ａに伝送され、第１の入力装置Ｂ１からの受信信号ａ1 （Ｒ）と第２の入力装置Ｂ２からの受信信号ａ2 （Ｒ）として演算装置Ａに入力される。
【００５３】
以上説明した各実施形態において、第１の入力装置Ｂ１内の通信制御回路２５ｂに第２の入力装置Ｂ２の通信制御回路２６ｂ、混合回路４ｂ、信号分離回路５ｂを一体的にＬＳＩとして構成することもできる。第２の入力装置Ｂ２はマウスまたはトラックボールであり、回路構成の収容に制限があるため、この構成により具体化することができる。
【００５４】
【発明の効果】
以上の説明の通り本願の第１発明によれば、演算装置と第１及び第２の入力装置との間の２つの双方向信号は、送信側において１つの双方向信号に混合多重化して伝送し、受信側においては、多重化している１つの双方向信号を第１及び第２の入力装置に対応する２つの双方向信号に戻して演算装置と第１及び第２の入力装置との間で互いの信号を入出力させられる。
【図面の簡単な説明】
【図１】本発明の第１の実施形態に係るコンピュータ装置の構成を示すブロック図。
【図２】上記構成における信号分離回路の構成を示す回路図。
【図３】上記構成における時分割の同期タイミング図。
【図４】上記構成における信号分離回路の構成を示す回路図。
【図５】上記構成における平衡信号変換回路の構成を示す回路図。
【図６】本発明の第２の実施形態に係るコンピュータ装置の構成を示すブロック図。
【図７】上記構成における光信号変換回路の構成を示す回路図。
【図８】光信号変換と平衡信号変換とを併用した信号伝送の構成を示す回路図。
【図９】本発明の第３の実施形態に係る混合回路の構成を示すブロック図。
【図１０】上記構成における同期タイミング図。
【図１１】従来例に係るコンピュータ装置の構成を示すブロック図。
【図１２】従来構成に係る信号伝送の構成を示す回路図。
【符号の説明】
１、２  コンピュータ装置
４ａ、４ｂ  混合回路
５ａ、５ｂ  信号分離回路
６ａ、６ｂ  平衡信号変換回路
７  平衡信号伝送路
１０ａ、１０ｂ  光信号変換回路
１１  光ケーブル
２１ａ、２１ｂ  混合回路
Ａ  演算装置
Ｂ１  第１の入力装置
Ｂ２  第２の入力装置
Ｃ  表示装置
【図１】
0003992775.tif 000002
【図２】
0003992775.tif 000003
【図３】
0003992775.tif 000004
【図４】
0003992775.tif 000005
【図５】
0003992775.tif 000006
【図６】
0003992775.tif 000007
【図７】
0003992775.tif 000008
【図８】
0003992775.tif 000009
【図９】
0003992775.tif 000010
【図１０】
0003992775.tif 000011
【図１１】
0003992775.tif 000012
【図１２】
0003992775.tif 000013